(57)【特許請求の範囲】
【請求項１】
複数ライン分の水平同期期間に含まれる水平同期信号と疑似水平同期信号とをカウントするカウント手段と、
前記カウント手段でカウントされた値を用いて、コピー禁止信号の有無を判定する判定手段と、
特殊再生を行った場合に映像信号に挿入される疑似垂直同期信号を検出する疑似垂直同期信号検出手段とを有し、
前記疑似垂直同期信号が検出された場合は、前記疑似垂直同期信号が検出される前の前記判定手段の判定結果を保持するように制御することを特徴とするコピー禁止信号検出装置。
【請求項２】
前記カウント手段は、複数の連続するフィールドのそれぞれにおいて前記水平同期信号と前記疑似水平同期信号とをカウントし、
前記判定手段は、前記カウント手段でカウントされた値が前記複数の連続するフィールドのそれぞれにおいて所定値以上になるか否かに応じて、前記コピー禁止信号の有無を判定することを特徴とする請求項１に記載のコピー禁止信号検出装置。
【請求項３】
複数ライン分の水平同期期間に含まれる水平同期信号と疑似水平同期信号とをカウントするカウントステップと、
前記カウントステップでカウントされた値を用いて、コピー禁止信号の有無を判定する判定ステップと、
特殊再生を行った場合に映像信号に挿入される疑似垂直同期信号を検出する疑似垂直同期信号検出ステップと、
前記疑似垂直同期信号が検出された場合は、前記疑似垂直同期信号が検出される前の前記判定ステップの判定結果を保持するように制御するステップとをコンピュータに実行させるためのプログラムを記憶したことを特徴とする記憶媒体。
【請求項４】
前記カウントステップは、複数の連続するフィールドのそれぞれにおいて前記水平同期信号と前記疑似水平同期信号とをカウントし、
前記判定ステップは、前記カウントステップでカウントされた値が前記複数の連続するフィールドのそれぞれにおいて所定値以上になるか否かに応じて、前記コピー禁止信号の有無を判定することを特徴とする請求項３に記載の記憶媒体。
【発明の詳細な説明】
【０００１】
【発明の属する技術分野】
本発明は、コピー禁止信号の有無を判定するコピー禁止信号検出装置及び記憶媒体に関する。
【０００２】
【従来の技術】
従来より、映像信号をＶＴＲ等でコピーすることを禁止するために、その映像信号にコピー禁止信号を挿入することが行われている。ＶＴＲでは、記録時にコピー禁止信号を検出すると、自動的に記録動作を制限して、その映像の著作権等を保護することができるようにしている。
【０００３】
コピー禁止信号として、映像信号に疑似水平同期信号を挿入するものが知られている。この疑似水平同期信号によるコピー禁止信号には様々なバリエーションがあるが、共通した特徴としては、図５（ａ）の映像信号の垂直帰線期間中の水平同期期間（以下、垂直帰線水平同期期間と言う）の５ライン以上にわたって、（ｂ）（ｃ）のように正規の水平同期信号以外の部分に１ラインあたり４〜８個の疑似水平同期信号が挿入されていることである。
【０００４】
このようなコピー禁止信号が挿入された映像信号が入力された場合にコピーを禁止するＶＴＲには、従来より図６に示すようなコピー禁止信号検出装置が設けられている。
図６において、同期信号分離部１０１は入力された図７（ａ）の映像信号から（ｂ）の同期信号を分離する。スイッチＳＷ１、ＳＷ２の状態は常に逆であり、通常はスイッチＳＷ１がオン、スイッチＳＷ２がオフとなっている。水平同期信号検出部１０４は、上記分離された同期信号から（ｄ）のような疑似水平同期信号を含まない水平同期信号のみを検出する。同様に垂直同期信号検出部１０２は垂直同期信号を検出する。
【０００５】
タイミング発生部１０３内のタイミング発生回路１０３ａは、上記検出された水平同期信号と垂直同期信号とから（ｃ）のようなマスキング信号と垂直帰線水平同期期間パルスとを発生する。マスキング回路１０３ｂは、上記マスキング信号より（ｅ）のようなスイッチの制御信号を生成して、スイッチＳＷ１、ＳＷ２に供給する。
【０００６】
疑似水平同期信号カウンタ１０５は、上記同期信号よりスイッチＳＷ２を介して（ｆ）のように検出された疑似水平同期信号のみを、タイミング発生回路１０３ａより送られる上記垂直帰線水平同期期間パルス区間のみカウントする。マイコン１０５は、上記カウント結果によりコピー禁止信号か否かを判定する。その場合、上記カウント結果が４〜８個で、５ライン以上の場合にコピー禁止信号であると判定している。
【０００７】
また、垂直同期信号補償部１０３ｃと水平同期信号補償部１０３ｄとは、正常なタイミングで垂直同期信号及び水平同期信号が存在しなかった場合には、補償用の垂直同期信号と水平同期信号とをタイミング発生回路１０３ａに出力することにより、水平同期信号と疑似水平同期信号とを正しく分離するようにしている。
【０００８】
【発明が解決しようとする課題】
上述した従来のコピー禁止信号検出装置では、水平同期信号と疑似水平同期信号とを別々に分離検出するために、マスキング回路１０３ｂ、スイッチＳＷ１、ＳＷ２等を必要とすると共に、水平同期信号と疑似水平同期信号とを正しく分離するために、垂直同期信号補償回路１０３ｃと水平同期信号補償回路１０３ｄ等の同期信号補償回路を必要とするため、回路規模が大きくなり、コストアップを招くという問題があった。
【０００９】
また、入力される映像信号が例えばＶＴＲの特殊再生による映像信号の場合には、疑似水平同期信号が挿入されている垂直帰線水平同期期間を再生できないことがあり、このためコピー禁止信号を正確に検出することができず、誤動作することがあるという問題があった。
【００１０】
本発明は、上記の問題を解決するために成されたもので、コピー禁止信号検出装置の回路規模の縮小及びコストダウンを図ると共に、ＶＴＲの特殊再生時の映像信号が入力された場合における誤動作をなくすようにすることを目的としている。
【００１１】
【課題を解決するための手段】
本発明に係るコピー禁止信号検出装置は、例えば、複数ライン分の水平同期期間に含まれる水平同期信号と疑似水平同期信号とをカウントするカウント手段と、前記カウント手段でカウントされた値を用いて、コピー禁止信号の有無を判定する判定手段と、特殊再生を行った場合に映像信号に挿入される疑似垂直同期信号を検出する疑似垂直同期信号検出手段とを有し、前記疑似垂直同期信号が検出された場合は、前記疑似垂直同期信号が検出される前の前記判定手段の判定結果を保持するように制御することを特徴とする。
【００１２】
本発明に係る記憶媒体は、例えば、複数ライン分の水平同期期間に含まれる水平同期信号と疑似水平同期信号とをカウントするカウントステップと、前記カウントステップでカウントされた値を用いて、コピー禁止信号の有無を判定する判定ステップと、特殊再生を行った場合に映像信号に挿入される疑似垂直同期信号を検出する疑似垂直同期信号検出ステップと、前記疑似垂直同期信号が検出された場合は、前記疑似垂直同期信号が検出される前の前記判定ステップの判定結果を保持するように制御するステップとをコンピュータに実行させるためのプログラムを記憶したことを特徴とする。
【００１４】
【発明の実施の形態】
以下、本発明の実施の形態を図面と共に説明する。
図１は本発明の第１の実施の形態を示す。
図１において、１は入力される映像信号から同期信号を分離する同期信号分離部、２は分離された同期信号から垂直同期信号を検出する垂直同期信号検出部、３は検出された垂直同期信号から垂直帰線水平同期期間のパルスを発生するタイミング発生回路、４は上記同期信号から疑似水平同期信号を含む水平同期信号を分離検出する水平同期信号検出部である。
【００１５】
５は上記検出された疑似水平同期信号を含む水平同期信号を、タイミング発生回路３から供給される上記垂直帰線水平同期期間パルスにより垂直帰線水平同期期間だけカウントする水平同期信号カウンタ、６は水平同期信号カウンタ５のカウント結果より、コピー禁止信号であるか否かを判定するマイコンである。
【００１６】
次に動作について説明する。
同期信号分離部１は、入力された映像信号から同期信号を分離する。垂直同期信号検出部２は、上記分離された同期信号から垂直同期信号を検出する。タイミング発生回路３は、上記検出された垂直同期信号から垂直帰線水平同期期間パルスを発生する。水平同期信号検出部４は、上記同期信号から図５（ｄ）のような疑似水平同期信号を含む水平同期信号を分離検出する。
【００１７】
水平同期信号カウンタ５は、上記検出された疑似水平同期信号を含む水平同期信号を、タイミング発生回路３で発生される上記垂直帰線水平同期期間パルスにより、垂直帰線水平同期期間中カウントする。マイコン６は、水平同期信号カウンタ５のカウント値に基づいてコピー禁止信号の有無を判定する。
【００１８】
図２は上記判定のためのフローチャートである。
疑似水平同期信号によるコピー禁止信号は、図５（ｂ）（ｃ）のように、映像信号の垂直帰線水平同期期間の５ライン以上にわたって、正規の水平同期信号以外の部分に１ラインあたり４〜８個の疑似水平同期信号が存在するので、疑似水平同期信号の最小個数は２０個である。また（ａ）のＮＴＳＣ信号の場合は、垂直帰線水平同期期間のライン数は１１である。
【００１９】
図２において、まず連続する５フィールド期間の各々において垂直帰線水平同期期間のカウント値Ｘを監視し、このＸの値と閾値Ｘ0 とを比較する。このときＸ0 は、
Ｘ＜Ｘ0 ＜３１＝１１＋２０  ───（１）
とすればよい。
【００２０】
そして各フィールド期間で、Ｘ≧Ｘ0 であれば、コピー禁止信号であると判定し、そうでなければコピー禁止信号ではないと判定することができる。
この例では、安定した判定動作を行うために、上記Ｘ≧Ｘ0 が複数フィールド（５フィールド）の間連続しているか否かを判定の基準としているが、１フィールド期間のみ監視するようにしてもよい。
【００２１】
本実施の形態によれば、疑似水平同期信号を含む水平同期信号をカウントし、そのカウント値によりコピー禁止信号であるか否かを判定するので、従来のように、疑似水平同期信号と水平同期信号とを分離するための回路や、正確に分離するための同期信号補償回路等が不要となり、回路規模を縮小することができると共に、コストダウンを図ることができる。
【００２２】
図３は本発明の第２の実施の形態を示すもので、図１と対応する部分には同一番号を付して重複する説明は省略する。
図３は、図１に疑似垂直同期信号検出回路７を追加し、その検出結果をマイコン６に送るようにしたものである。
【００２３】
前述したように、一般的にＶＴＲのスチルやサーチ等の特殊再生時には、再生できない信号部分があり、このためコピー禁止信号が挿入されている垂直帰線水平同期期間が再生できないことがあるので、コピー禁止信号か否かを正しく判定できない場合が生じる。
【００２４】
一方、ＶＴＲにおいては、特殊再生時に垂直同期信号部分が再生できないことがあるため、図５（ｅ）のような疑似垂直同期信号を挿入して、モニタ上で垂直同期が乱れるのを防止するようにしている。
【００２５】
図３において、疑似垂直同期信号検出回路７は、垂直同期信号検出部２から供給される垂直同期期間パルスと、水平同期信号検出部４から供給される水平同期信号とに基づいて疑似垂直同期信号の挿入の有無を検出し、検出結果をマイコン６に送る。マイコン６は、図４のフローチャートによりコピー禁止信号の有無を判定する。
【００２６】
まず、疑似垂直同期信号が挿入されているか否かを検出し、挿入されていればコピー禁止信号の判定は行わずに、直前の状態を保つ。疑似垂直同期信号が挿入されていない場合は判定動作に入る。この判定動作は図２と同様に行われる。
【００２７】
疑似垂直同期信号検出回路７は、図５（ｅ）（ｆ）から判るように、疑似垂直同期信号の場合は、垂直同期部分に切り込みパルスが存在しないことを利用して、垂直同期信号検出部２で検出された垂直同期信号パルスの期間中における水平同期信号検出部４で検出された水平同期信号に切り込みパルスが存在しない場合に、疑似垂直同期信号であると判定するようにしている。
【００２８】
本実施の形態によれば、コピー禁止信号が挿入されている垂直帰線水平同期期間が再生できない特殊再生時の映像信号が入力されても、疑似垂直同期信号を検出したときはコピー禁止信号の判定動作を止め、特殊再生直前の状態を保持するようにしたので、誤動作を防ぐことができる。
【００２９】
次に本発明による記憶媒体について説明する。
本発明の目的は、記憶媒体とＣＰＵで構成されるコンピュータシステムで実現することができる。即ち、上述した各実施の形態を実現するソフトウェアのプログラムコードを記憶した記憶媒体をシステムや装置で用い、そのシステムや装置のＣＰＵが上記記憶媒体に格納されたプログラムコードを読み出し、実行することによっても達成することができる。
その場合、上記記憶媒体から読み出されたプログラムコード自体が上述した各実施の形態の機能を実現することになり、そのプログラムコードを記憶した記憶媒体は、本発明を構成することになる。
【００３０】
また、この記憶媒体としては、ＲＯＭ、ＲＡＭ等の半導体メモリ、光ディスク、光磁気ディスク、磁気媒体等を用いてよく、これらをＣＤ−ＲＯＭ、フロッピィディスク、磁気媒体、磁気カード、不揮発性メモリカード等に構成して用いてよい。
【００３１】
従って、この記憶媒体を図１、図３に示したシステムや装置以外の他のシステムや装置で用い、そのシステムあるいはコンピュータがこの記憶媒体に格納されたプログラムコードを読み出し、実行することによっても、前述した各実施の形態と同等の機能を実現できると共に、同等の効果を得ることができ、本発明の目的を達成することができる。
【００３２】
また、コンピュータ上で稼働しているＯＳ等が処理の一部又は全部を行う場合、あるいは記憶媒体から読み出されたプログラムコードが、コンピュータに挿入された拡張機能ボードやコンピュータに接続された拡張機能ユニットに備わるメモリに書き込まれた後、そのプログラムコードの指示に基づいて、上記拡張機能ボードや拡張機能ユニットに備わるＣＰＵ等が処理の一部又は全部を行う場合にも、各実施の形態と同等の機能を実現できると共に、同等の効果を得ることができ、本発明の目的を達成することができる。
【００３３】
【発明の効果】
本発明によれば、疑似水平同期信号と本来の水平同期信号とを一緒にカウントし、そのカウント値によりコピー禁止信号の有無を判定することができるので、従来のように、疑似水平同期信号と水平同期信号とを分離するための回路や、正確に分離するための同期信号補償回路等が不要となり、回路規模を縮小することができると共に、コストダウンを図ることができる。
【００３４】
また、本発明によれば、特殊再生時の映像信号が入力されても、疑似垂直同期信号を検出したときは、特殊再生直前の状態を保持することができるので、特殊再生時の誤動作を防ぐことができる。
【図面の簡単な説明】
【図１】本発明の第１の実施の形態によるコピー禁止信号検出装置を示すブロック図である。
【図２】第１の実施の形態による判定動作を示すフローチャートである。
【図３】本発明の第２の実施の形態によるコピー禁止信号検出装置を示すブロック図である。
【図４】第２の実施の形態による判定動作を示すフローチャートである。
【図５】第１、第２の実施の形態の動作及び従来の動作を示すタイミングチャートである。
【図６】従来のコピー禁止信号検出装置を示すブロック図である。
【図７】従来の動作を示すタイミングチャートである。
【符号の説明】
１  同期信号分離部
２  垂直同期信号検出部
３  タイミング発生回路
４  水平同期信号検出部
５  水平同期信号カウンタ
６  マイコン
７  疑似垂直同期信号検出回路
【図１】
0004500376.tif 000002
【図２】
0004500376.tif 000003
【図３】
0004500376.tif 000004
【図４】
0004500376.tif 000005
【図５】
0004500376.tif 000006
【図６】
0004500376.tif 000007
【図７】
0004500376.tif 000008